(57)【要約】【課題】  天井面またはスプリンクラーヘッドに設置されるハウジング、ハウジングに低融点合金によって接合されるカバープレート、低融点合金が溶融した際にハウジングとカバープレートとを引き離す付勢手段から構成され、該付勢手段が非火災においては低融点合金の剥離を防止可能なスプリンクラーヘッドカバーを提供する。【解決手段】  付勢手段４は半径方向に収縮・拡大可能であり、カバープレート２とハウジング１の接合部付近に配置され、低融点合金３が溶融した際には付勢力により接合部９の方向に変位される構成とした。【選択図】    図１
2008086394.tif 000002
【特許請求の範囲】
【請求項１】
天井面またはスプリンクラーヘッドに設置されるハウジング、ハウジングに低融点合金によって接合されるカバープレート、低融点合金が溶融した際にハウジングとカバープレートとを引き離す付勢手段から構成されるスプリンクラーヘッドカバーにおいて、付勢手段は半径方向に収縮・拡大可能であることを特徴とするスプリンクラーヘッドカバー。
【請求項２】
前記付勢手段は、カバープレートとハウジングの接合部付近に配置され、低融点合金が溶融した際には付勢力により接合部の方向に変位されることを特徴とする請求項１記載のスプリンクラーヘッドカバー。
【請求項３】
前記付勢手段は、熱により半径方向に変形されることを特徴とする請求項１記載のスプリンクラーヘッドカバー。
【請求項４】
前記スプリンクラーヘッドカバーにおいて、付勢手段の係止手段を設けたことを特徴とする請求項１記載のスプリンクラーヘッドカバー。
【発明の詳細な説明】
【技術分野】
【０００１】
本発明は、消火用のスプリンクラーヘッドに設置されるスプリンクラーヘッドカバーに関するものである。
【背景技術】
【０００２】
スプリンクラーヘッドは主に室内の天井に設けられており、ノズルが天井内の配管と接続され、ノズルを閉止する弁体が感熱作動部によって支持された構造をしている。感熱作動部には感熱体が組み込まれており、火災時に感熱体内の低融点合金が溶融することで感熱作動部が作動して弁体の支持が解除されてノズルが開き、配管内の消火水がノズルより放出される。
【０００３】
ノズルより放出された消火水は、ノズルの先に設置されたデフレクターに衝突して四方へ飛散され、消火を行うものである。
【０００４】
上記スプリンクラーヘッドに設置されるスプリンクラーヘッドカバーは、天井に設置されたスプリンクラーヘッドを覆い隠して室内の美観を向上させたり、スプリンクラーヘッドを外力から保護する役目を有するものである（例えば、特許文献１参照。）。
【０００５】
特許文献１に記載されているスプリンクラーヘッドカバーは、取り付け体、バネ材、蓋部材および低融点合金から構成され、天井面に固定設置された取り付け体に、皿バネ状のバネ材を介して蓋部材が低融点合金によって接合されている。火災の熱によって低融点合金が溶融するとバネ材により取り付け体と蓋部材の分離が促され、すみやかに蓋部材を落下させることができる。蓋部材の落下により蓋部材内のスプリンクラーヘッドに熱気流が直接届くのでスプリンクラーヘッドが遅滞なく作動されて火災の延焼を防ぐことが可能となる。
【０００６】
【特許文献１】実公平７−３７６３８号公報
【発明の開示】
【発明が解決しようとする課題】
【０００７】
上記のスプリンクラーヘッドカバーには、火災時に蓋部材を速やかに落下させるためにバネ材が設置されている。しかしながらバネ材の力が強すぎたり、低融点合金の接合不良等で強度が不足していると、非火災時において低融点合金と蓋部材が剥離して、蓋部材が落下してしまうおそれがある。
【０００８】
そこで本発明では、上記問題に鑑み、低融点合金の溶融時にカバープレートの落下を促す付勢手段において、非火災には低融点合金の剥離を防止可能なスプリンクラーヘッドカバーを提供することを目的としている。
【課題を解決するための手段】
【０００９】
上記の目的を達成するために、請求項１記載の発明は、天井面またはスプリンクラーヘッドに設置されるハウジング、ハウジングに低融点合金によって接合されるカバープレート、低融点合金が溶融した際にハウジングとカバープレートとを引き離す付勢手段から構成されるスプリンクラーヘッドカバーにおいて、付勢手段は半径方向に収縮・拡大可能であるスプリンクラーヘッドカバーである。
【００１０】
請求項２記載の発明は、前記付勢手段がカバープレートとハウジングの接合部付近に配置され、低融点合金が溶融した際には付勢力により接合部の方向に変位される請求項１記載のスプリンクラーヘッドカバーである。
【００１１】
請求項３記載の発明は、前記付勢手段が熱により半径方向に変形される請求項１記載のスプリンクラーヘッドカバーである。
【００１２】
請求項４記載の発明は、前記スプリンクラーヘッドカバーにおいて、付勢手段の係止手段を設けた請求項１記載のスプリンクラーヘッドカバーである。
【発明の効果】
【００１３】
請求項１記載の発明によれば、半径方向に収縮・拡大可能な付勢手段を用いたことにより、従来品の皿バネように低融点合金の接合面に対して垂直に力が作用される構造とは異なり、低融点合金の側面から力が作用されるものとなる。従って接合面に対して垂直方向のみに力が作用される構造と比較して、垂直に作用する力が低減され低融点合金の剥離を防止できる。
【００１４】
請求項２記載の発明によれば、低融点合金が溶融した際、付勢手段が接合部の方向に変位して、カバープレートと接合部の間に介入することで溶融状態の低融点合金を引き離すことが可能となる。
【００１５】
請求項３記載の発明によれば、付勢手段が熱により半径方向に拡大することで、通常においては低融点合金に付勢手段の力を作用させることなく火災時の熱により低融点合金に付勢力を作用させることが可能となる。
【００１６】
請求項４記載の発明によれば、付勢手段の係止手段を設けたことでハウジングとカバープレートとの間に設置された付勢手段の設置位置が自らの付勢力によって空回りすることや位置ずれの発生を防止できる。
【発明を実施するための最良の形態】
【００１７】
付勢手段の形状はリング、切欠きを有するリングまたは円弧状バネ、トーションバネ等、荷重を解除すると半径方向に収縮または広がるものが好ましく、低融点合金が溶融した状態において、確実にハウジングとカバープレートが引き離されるために、接合面に介入する付勢手段を用いることが好ましい。
【００１８】
付勢手段の材料としては、通常のバネ材を用いる他に超弾性を有する素材や、所定温度に達すると変形する材料を用いることも可能である。付勢手段は接合部の外側に設置してもよいし、内側に設置してもよい。いずれにせよ低融点合金の方向に付勢力が作用するように設けられる。
【実施例】
【００１９】
以下、この発明の実施例を図１から図５を参照して説明する。図１は本発明のスプリンクラーヘッドカバーの断面図、図２はカバープレートの平面図、図３は図２の他の実施形態、図４はカバープレートの接合部の１箇所が外れた状態の断面図、図５はスプリンクラーヘッドが作動した状態の断面図である。
【００２０】
図１に示す本発明のスプリンクラーヘッドカバーは、ハウジング１、カバープレート２、低融点合金３、弾発体４から構成される。
【００２１】
ハウジング１は円筒形状をしており、内周部がスプリンクラーヘッドＨの外周部に係止されている。ハウジング１には天井５に穿設されたスプリンクラーヘッドＨの設置穴６を塞ぐための鍔部７が形成されている。鍔部７より下方には複数の脚８が斜め下方に向かって突設され、脚８の先端は水平となるよう屈曲されており、カバープレートとの接合部９が形成される。
【００２２】
カバープレート２は、円盤形状をしており、周縁が立ち上げられて縁１０が形成されている。カバープレート２の表面、つまり室内側から見える面は天井の色と同じ色で塗装されるのが好ましい。スプリンクラーヘッドＨ側の裏面は、前述のハウジング１の接合部９に低融点合金３によって接合される。
【００２３】
カバープレート２の裏面には、弾発体４の位置ズレを防止する突起１１が形成されている。
【００２４】
低融点合金３は、ハウジング１の接合部９とカバープレート２の裏面を接合するものである。低融点合金の溶融温度は、スプリンクラーヘッドＨの作動温度よりも低いものを用いることで、火災時には先にカバープレート２が落下し、続いてスプリンクラーヘッドＨが作動することができる。
【００２５】
弾発体４は、前述の付勢手段であり、円弧状で中間部に穴１２が穿設された弾発体４が設置されている。図２はカバープレート２の平面図であり、ハウジング１の接合部９の接触部９Ａが二点鎖線で図示されている。弾発体４は、穴１２が前述の突起１１と嵌合された状態であり、端部がハウジング１の脚８または低融点合金３に接触されており、低融点合金３に対して水平方向に付勢されている。さらに、脚８は低融点合金３の方向に向かって斜めに形成されており、脚８によって弾発体４がカバープレート２側に付勢されるようにしている。図２に示す弾発体４は収縮された状態であり、自由状態においては点線で示す形状となる。
【００２６】
弾発体４の形状としては、この他にハウジング１の接合部９の数や位置に対応させて、図３（ａ）に示す歯車型や同図（ｂ）に示すようなプロペラ状でもよい。図３において、点線で示す形状は荷重を解除した際の形状である。また、弾発体４が自らのバネ性によってカバープレート２の内部で変位しないように、ハウジング１またはカバープレート２に弾発体４の係止手段１１Ａを設けてもよい。
【００２７】
さらに弾発体４は、図２、３においては接合部９の内側に設置されているが、接合部９の外側に設置することも可能である。その際弾発体の付勢方向は接合部９に向かって付勢されるものとする。
【００２８】
また、弾発体４の材質としては、バネ材の他に超弾性材料や、熱によって変形する材料を用いることも可能である。
【００２９】
続いて、本発明のスプリンクラーヘッドカバーの作動について説明する。
【００３０】
上記構造のスプリンクラーヘッドカバーは、スプリンクラーヘッドＨの外周部に固定設置され、室内からは天井５からカバープレート２のみが露出した状態にある。火災が発生すると、カバープレート２が火災の熱を吸収し、該熱によってハウジング１との接合手段である低融点合金３が溶融される。
【００３１】
このとき、スプリンクラーヘッドＨが設置されている位置に対して、火災が発生した方向に一番近いハウジング１の脚８の低融点合金３が溶融される。
【００３２】
低融点合金３が溶融すると、弾発体４が低融点合金３の方向に変位して、カバープレート２と接合部９との間に介入し、ハウジング１とカバープレート２を引き離す。続いて火災の熱により他の箇所の低融点合金３も溶融されカバープレート２が落下する。
【００３３】
カバープレート２の落下によって、ハウジング１内部のスプリンクラーヘッドＨに火災の熱がダイレクトに伝わりスプリンクラーヘッドＨが火災の熱によって作動し、消火水を散布することで火災を消火に至らしめる。
【図面の簡単な説明】
【００３４】
【図１】本発明のスプリンクラーヘッドカバーの断面図
【図２】カバープレートの平面図
【図３】図２の他の実施形態
【図４】カバープレートの接合部の１箇所が外れた状態の断面図
【図５】スプリンクラーヘッドが作動した状態の断面図
【符号の説明】
【００３５】
１  ハウジング    
２  カバープレート    
３  低融点合金    
４  弾発体    
５  天井    
８  脚    
９  接合部    
１１  突起    
１２  穴    
【図１】
2008086394.tif 000003
【図２】
2008086394.tif 000004
【図３】
2008086394.tif 000005
【図４】
2008086394.tif 000006
【図５】
2008086394.tif 000007